(57)【要約】【課題】１のウェブページから旅行に必要な情報の入手や各種の申し込みが容易にできる旅程を表示する旅程表示システムを提供する。【解決手段】データベースは、観光スポットと、飲食店、観光施設、宿泊施設及び交通手段のうちの２以上と、観光スポットを表示する地図とに関する情報を格納し、旅程表示サーバは、各種の旅行計画情報をユーザ端末から受け取る旅行計画情報受取手段と、該旅行計画情報をデータベースに格納された旅程構成要素に関する情報と照合して旅行計画情報に適合する適合旅程構成要素を取得する第１の情報処理手段と、地図上の所定の場所に適合旅程構成要素を旅行日程の少なくとも１日について１のウェブベージに配置して表示させるように処理する第２の情報処理手段とを有する。【選択図】図１
2014006819.tif 000002
【特許請求の範囲】
【請求項１】
ユーザ端末からインターネットを介してアクセス可能な旅程作成用のウェブページを管理する旅程表示サーバと、旅程を作成する際に使用する各種の情報を格納するデータベースとを備えた旅程表示システムであって、
前記データベースは、観光スポットと、飲食店、観光施設、宿泊施設及び交通手段のうちの２以上と（以下、該観光スポットと併せて「旅程構成要素」という。）、該観光スポットを表示する地図とに関する情報を格納しており、
前記旅程表示サーバは、
旅行の日時、観光スポットなどの各種の旅行計画情報を前記ユーザ端末から受け取る旅行計画情報受取手段と、
前記旅行計画情報受取手段が受け取った前記旅行計画情報を前記データベースに格納された旅程構成要素に関する情報と照合して前記旅行計画情報に適合する適合旅程構成要素を取得する第１の情報処理手段と、
旅行計画情報受取手段が受け取った観光スポットを表示する地図に関する情報によって表わされた地図上の所定の場所に前記第１の情報処理手段によって取得された前記適合旅程構成要素を旅行日程の少なくとも１日について１のウェブベージに配置して表示させるように処理する第２の情報処理手段と
を有すること特徴とする旅程表示システム。
【請求項２】
前記旅行計画情報には各種の予約情報が含まれ、
前記第２の情報処理手段は、更に前記旅行計画情報受取手段から前記予約情報を受け取り、該予約情報を旅行日程の少なくとも１日について１のウェブベージの所定の場所に表示させる、又は所定箇所をクリックすると閲覧可能になるように処理することを特徴とする請求項１記載の旅程表示システム。
【請求項３】
前記データベースは、前記旅程構成要素のそれぞれの写真又は名称に関する情報を格納しており、
前記第２の情報処理手段は、前記データベースから前記写真又は名称に関する情報を入手し、前記地図上であって、前記適合旅程構成要素に対応する所定の場所に表示させるように処理する
ことを特徴とする請求項１又は２記載の旅程表示システム。
【請求項４】
前記旅程表示サーバは、前記地図上に表わされた前記写真又は名称をクリックすると前記写真又は名称のホームページへリンクするように処理する第３の情報処理手段を有すること特徴とする請求項３記載の旅程表示システム。
【請求項５】
前記第２の情報処理手段は、前記旅程構成要素について旅程順に矢印や番号で表示させるように処理することを特徴とする請求項１ないし４のいずれか１項記載の旅程表示システム。
【発明の詳細な説明】
【技術分野】
【０００１】
この発明は、１つの旅程を構成する各種情報を旅行日程の少なくとも１日について１のウェブベージに表示する旅程表示システムに関する。
【背景技術】
【０００２】
従来、観光スポットや飲食店や観光施設や宿泊地や交通手段や旅行会社などのウェブサイトでは、それぞれが独自にホームページをアップロードし、各取扱分野に関する情報を提供し、予約申込の受け付けをしていることは、よく知られている。そして、それらのサイトのＵＲＬやアイコンを、個人や企業が自身のホームページに貼り付けて紹介した場合、該ホームページの閲覧者がそのＵＲＬやアイコンをクリックするとリンク付けされた上記いずれかのウェブサイトに自動的に接続される。
【０００３】
また、一画面同時表示方式による地図情報連動型付随情報表示システムとして、スクロール操作なしでモニタ上に表示するように調整した地図画像情報内に配置したアイコンをマウスなどのポインティング装置によるポインタ操作することで該アイコンに付随する情報を地図画像情報と同時に表示させることにより、位置情報とのつながりをモニタ上で確認しながら付随情報を入手できるようにしたことが開示されている（特許文献１）。
【先行技術文献】
【特許文献】
【０００４】
【特許文献１】特開２００７−８７１３４号公報
【発明の概要】
【発明が解決しようとする課題】
【０００５】
しかしながら、上記従来の技術には次のような課題があった。
観光スポットと飲食店や観光施設と宿泊施設と交通情報が別々のカテゴリーに区分けされており、個々に情報の提供や予約の申込みがされてるため、それぞれのホームページを逐一調べなければならず、ユーザにとって検索が煩雑で時間がかかっていた。旅行会社のパッケージツアーに申し込む場合は、日程表や料金表が書かれた数ページに及ぶパンフレットを読まなければツアーの全体像が把握できないため、ツアー内容の把握やプラン比較に手間と時間がかかり、現地の写真についても断片的にしか掲載されていないため、一連の旅程映像を事前に把握した上でプランを選ぶことが困難であった。
【０００６】
観光や飲食や宿泊や交通などの情報サイトは、自己の取扱分野の情報を単に数多く掲載又は種類分けする所謂検索サイトとしてしか運営できない状況になってしまうため、必然的に取扱内容が他者と似通ったものにならざるを得ず、他者との差別化が難しくなっている。
宿泊施設や飲食店や観光施設は、ウェブ上に膨大な数の他者施設や店舗のページがアップロードされているため、自身の名前による検索以外では検索される機会が少なく、自身のページの閲覧数を伸ばすことが難しくなっている。
【０００７】
旅行会社は、顧客から申し込みを受ける際に、窓口やウェブページ上で数ページに及ぶパンフレットなどの資料でツアー内容を説明する必要があり、それが人件費のかさむ要因になっていたり、また、それを読む手間が顧客の購買意欲を下げる一因になってしまっている。
【０００８】
そこで、本発明は、かかる事情を解決するためになされたもので、１のウェブページから旅行に必要なあらゆる情報の入手が容易にできる旅程を表示する旅程表示システムを提供することを目的とする。
【課題を解決するための手段】
【０００９】
上記目的を達成するため、ユーザ端末からインターネットを介してアクセス可能な旅程作成用のウェブページを管理する旅程表示サーバと、旅程を作成する際に使用する各種の情報を格納するデータベースとを備えた旅程表示システムであって、前記データベースは、観光スポットと、飲食店、観光施設、宿泊施設及び交通手段のうちの２以上と（本明細書において、該観光スポットと併せて「旅程構成要素」ということがある。）、該観光スポットを表示する地図とに関する情報を格納しており、前記旅程表示サーバは、旅行の日時、観光スポットなどの各種の旅行計画情報を前記ユーザ端末から受け取る旅行計画情報受取手段と、前記旅行計画情報受取手段が受け取った前記旅行計画情報を前記データベースに格納された旅程構成要素に関する情報と照合して前記旅行計画情報に適合する適合旅程構成要素を取得する第１の情報処理手段と、前記旅行計画情報受取手段が受け取った観光スポットを表示する地図に関する情報によって表わされた地図上の所定の場所に前記第１の情報処理手段によって取得された前記適合旅程構成要素を旅行日程の少なくとも１日について１のウェブベージに配置して表示させるように処理する第２の情報処理手段とを有すること特徴とする旅程表示システムを提供する。
【００１０】
本発明に係る旅程表示システムによれば、１つの旅行プランごとに、旅程構成要素情報や予約情報へのアクセスが、ウェブページ上の１の地図内に集約されて表示されてるため、ユーザは１のウェブページの上から種々の必要な情報の入手が容易にできるようになり、時間を節約することができる。
【００１１】
好ましい態様では、前記旅行計画情報には各種の予約情報が含まれ、前記第２の情報処理手段は、更に前記旅行計画情報受取手段から前記予約情報を受け取り、該予約情報を旅行日程の少なくとも１日について１のウェブベージの所定の場所に表示させる、又は所定箇所をクリックすると閲覧可能になるように処理することを特徴とする。このような構成によれば、ユーザは１のウェブページの上から各種申し込み及びその確認が容易にできる。
【００１２】
上記態様では、前記データベースは、前記旅程構成要素のそれぞれの写真又は名称に関する情報を格納しており、前記第２の情報処理手段は、前記データベースから前記写真又は名称に関する情報を入手し、前記地図上であって、前記適合旅程構成要素に対応する所定の場所に表示させるように処理することが好ましい。このような構成によれば、ユーザは１のウェブページの上から容易に地図上の写真又は名称から旅程構成要素についてより詳細に知ることができる。
【００１３】
上記態様では、前記旅程表示サーバは、前記地図上に表わされた前記写真又は名称をクリックすると前記写真又は名称のホームページへリンクするように処理する第３の情報処理手段を有することが更に好ましい。このような構成によれば、写真又は名称のクリックによりユーザは１のウェブページから容易に旅程構成要素を更に詳細に知ることができる。
【００１４】
好適には、前記第２の情報処理手段は、前記旅程構成要素について旅程順に矢印や番号で表示させるように処理する。このような構成によれば、ユーザは矢印や番号を見て旅程順を容易に確認できる。
【発明の効果】
【００１５】
本発明の旅程表示システムによれば、データベースが旅程構成要素と観光スポットを表示する地図に関する情報を格納し、ユーザ端末から送られた各種の旅行計画情報が旅行計画情報受取手段で受け取られ、該記旅行計画情報とデータベースに格納された旅程構成要素に関する情報が照合されて、旅行計画情報に適合する適合旅程構成要素が観光スポットを表示する地図上の所定の場所に旅行日程の少なくとも１日について１のウェブベージに配置され、表示されるので、ユーザが１のウェブページから旅行に必要な種々の情報を容易に入手することができる。
【図面の簡単な説明】
【００１６】
【図１】本実施形態の旅程表示装置の構成図である。
【図２】図１のＡＰサーバの構成例を示す図である。
【図３】１観光スポットに適用された場合の１ウェブベージを示す説明図である。
【図４】図３の１のＵＲＬをクリックした場合について示す説明図である。
【図５】図３の１の写真をクリックした場合について示す説明図である。
【図６】図３の他のＵＲＬをクリックした場合について示す説明図である。
【図７】図３の他の写真をクリックした場合について示す説明図である。
【図８】図３の他のＵＲＬをクリックした場合について示す説明図である。
【図９】１観光スポットに適用された場合の１ウェブベージを示す説明図である。
【図１０】図９の「バスで行く」をクリックした場合について示す説明図である。
【発明を実施するための形態】
【００１７】
以下、本発明に係る旅程表示システムの一実施形態について図面に基づき、詳細に説明する。なお、これにより本発明が限定されるものではない。
【００１８】
図１は、本実施形態の旅程表示装置（「旅程表示システム」に相当する。）の構成図である。図１に示すように、旅程表示装置１はユーザ端末２とＷＡＮ（Wide  Area  Network）としてのインターネット３を介して繋がっている。なお、ユーザ端末２は、データ通信機能を有する通信端末であって、パーソナルコンピュータ、携帯電話端末などがこれに該当する。ユーザ端末２は、複数存在するが図１では１つだけ図示している。
【００１９】
旅程表示装置１は、旅程表示提供者が管理し運用するサーバコンピュータであり、Ｗｅｂサーバ機能及び多量のデータを保存するデータベース機能を備えている。図示しないが、旅程表示装置１は、少なくとも１のＣＰＵ（Central  Processing  Unit、中央処理装置）、ＣＰＵの作業領域として機能するＲＡＭ（Random  Access  Memory）、起動用ブートプログラム等が記録されたＲＯＭ（Read  Only  Memory）、各種プログラムやデータ等が記録されるハードディスク等の補助記憶装置、データの送受信に用いる通信インターフェース等が設けられている。補助記憶装置には、ＯＳ（Operating  System）用プログラム、各種アプリケーションプログラム、データベースに記録されたデータ等が記録されており、これらのプログラムやデータはＣＰＵの演算処理により、ハードウェア資源と協働して各種機能を実現する。
【００２０】
図１に示すように、旅程表示装置１は、上述した各種プログラムとハードウェア資源とに基づいて実現される機能手段としてのデータ処理部１２、及びデータ処理部１２にて処理される各種データが記録されるデータベース１４を有する。データ処理部１２は旅程表示装置１において用いる各種データの生成、加工等の処理を行うものであり、ユーザ端末２からのアクセスを処理するＷｅｂサーバ１６、アプリケーション層のプログラムを実行するアプリケーションサーバ（ＡＰサーバ）１８を有している。
【００２１】
データベース１４は、観光スポット、飲食店、観光施設、宿泊施設及び交通手段（旅程構成要素）、該観光スポットを表示する地図、及び旅程構成要素のそれぞれの写真又は名称に関する情報を格納している。
ユーザ端末２は、通常、マウスやキーボードやタッチパネル等の各種指示を入力するために用いられる情報入力部２１、ＬＣＤ（Liquid  Crystal  Display）等からなり各種指示や画像等を表示する表示部２２、情報入力部２１からの指示情報を受信し、表示部２２に表示情報を出力する制御部２３を有している。
【００２２】
図２は、図１のＡＰサーバの構成例を示す図である。ＡＰサーバ１８は、旅行計画情報受取部２３（「旅行計画情報受取手段」に相当する。）、第１の情報処理部２５（「第１の情報処理手段」に相当する。）、第２の情報処理部２７（「第２の情報処理手段」に相当する。）、第３の情報処理部２９（「第３の情報処理手段」に相当する。）の各種の機能部から構成されている。そして、ＡＰサーバ２０は、必要に応じてデータベース１４にアクセスしたり、そのデータベース１４に格納されている情報をＷｅｂサーバ１６を介して発信したりする。
【００２３】
旅行計画情報受取部２３は、ユーザ端末２から、旅行の日時、観光スポット、各種の予約情報などの各種の旅行計画情報を受け取る。第１の情報処理部２５は、ユーザ端末２から送られた旅行の日時、観光スポットなどの各種の旅行計画情報を旅行計画情報受取部２３から入手し、該旅行計画情報をデータベース１４に格納された旅程構成要素に関する情報と照合して受領した旅行計画情報に適合する旅程構成要素を取得する。
【００２４】
第２の情報処理部２７は、旅行計画情報受取部２３が受領した観光スポットに関する地図情報によって表わされた地図上の所定の場所に第１の情報処理部２５によって取得された旅程構成要素を旅行日程の少なくとも１日について１のウェブベージに配置して表示させるようにＷｅｂサーバ１６を介して処理する。更に、旅行計画情報受取部２３から各種の予約情報を受け取り、該予約情報を旅行日程の少なくとも１日について１のウェブベージの所定の場所に表示させるようにＷｅｂサーバ１６を介して処理する。
【００２５】
第２の情報処理手段２７は、データベース１４から写真又は名称に関する情報を入手し、第１の情報処理手段２４によって取得された旅程構成要素に対応する地図上の所定場所に表示させるように処理する。また、第２の情報処理手段２７は、更に旅程構成要素について旅程順に矢印や番号で表示させるようにＷｅｂサーバ１６を介して処理する。
第３の情報処理部２９は、地図上に表わされた写真又は名称をクリックすると写真又は名称のホームページのＵＲＬへリンクするようにＷｅｂサーバ１６を介して処理する。
【００２６】
以下、本実施形態に係る旅程表示システムに基づき、インターネット回線を通じてウェブ上にアップロードを行った場合の１のウェブベージを図を参照しながら説明する。
図３は、ある観光スポットについて本発明を適用した１のウェブベージを示す。図３において、丸囲い数字１から４は、この順に観光地を回ることを示しており、矢印は、この道順に観光地を回ることを示している。具体的には、まず丸囲い数字１の「湖北ビューライン」という観光地に行ってから、矢印に沿って県道２１号線を進み、次に矢印に沿って県道７１０号線を進んでから、丸囲い数字２の飲食店「ルッコラ」もしくは「ロマラン」に寄り、次に矢印に沿って県道１３７号線へと入ってから、丸囲い数字３の飲食店「チーズケーキガーデン」に寄り、次に矢印に沿って県道１３７号線を進んでから、丸囲い数字４の観光施設「ＵＫＡＩオルゴールの森美術館」へ行き、その後、（Ａ）の宿泊施設「湖山亭うぶや」もしくは（Ｂ）の宿泊施設「風のテラスＫＵＫＵＮＡ」に宿泊することを示す。
【００２７】
このように、ある旅行プランにおける一日目の旅程が、ウェブ上の１の地図内に種々の必要事項が旅程順に掲載されている。
図４は、図３の観光地「湖北ビューライン」３１の表記の下に貼り付けてある公式ホームページＵＲＬにカーソルをクリックすると、その観光地の公式ホームページにアクセスできることを示す。
図５は、図３の観光地「湖北ビューライン」３１の下に貼り付けてある写真にカーソルをクリックすると、その観光地の拡大写真が開くことができることを示す。
【００２８】
図６は、図３の飲食店「チーズケーキガーデン」３３の表記の下に貼り付けてある紹介ホームページＵＲＬにカーソルを合わせてマウスをクリックすると、その飲食店の紹介ホームページにアクセスできることを示す。
図７は、図３の飲食店「チーズケーキガーデン」３３の表記の下に貼り付けてある写真にカーソルを合わせてマウスをクリックすると、その飲食店の拡大写真が開くことができることを示す。
【００２９】
図８は、図３の（Ａ）の宿泊施設「湖山亭うぶや」３５の表記の下に貼り付けてある公式ホームページＵＲＬにカーソルを合わせてマウスをクリックすると、その宿泊施設の公式ホームページにアクセスことができることを示す。
図９は、地図内の右下にある「河口湖までの交通手段」の「バスで行く」の欄にカーソルを合わせてマウスをクリックすると、バスの予約仲介サイトのホームページ（図１０参照）にアクセスことができることを示す。
【００３０】
本発明に係る旅程表示システムは、上述の実施形態に限定されるものではなく、本発明の要旨を逸脱することなく、種々の構成を採り得る。図３や図９では見やすさの観点から地図を自ら作成したが、例えば、ヤフー（登録商標）やグーグル（登録商標）のサイトで提供される地図を合法的に下地として使うこともできる。
本発明の旅程表示システムは次のような効果を有する。
【００３１】
［１］１の旅行プランごとに、旅程構成要素情報や予約情報へのアクセスが、ウェブページ上の１枚の地図内に集約されたかたちで表示されてるため、ユーザは、１枚のウェブページの上から種々の上記情報の入手や各種申込が容易にできるようになり、時間が節約できる。
［２］旅程構成要素情報が、矢印や番号等で旅程順に表記されるので、ユーザは、旅行日に現地で例えば携帯通信機器端末から当該サイトにアクセスすれば、旅程をすべて容易に把握することができ、時間が節約できる。
【００３２】
［３］旅程構成要素情報が、ウェブページ上の１の地図内に集約されて、かつ一連の旅程順に沿って図指表示されたかたちで表示されるため、このフォームを標準規格にすれば、ユーザは旅行プラン同士の比較検討が容易になる。
［４］１の旅行プランごとに旅程構成要素情報が、１のウェブページの地図に集約されたかたちで掲載され、旅程構成要素情報それぞれについてその所在地に写真や名称やホームページや予約ページのＵＲＬが貼り付けられており、さらに旅程構成要素情報が相互に矢印等で旅程順に表記されているため、旅程企画者には以下の経済的効果が発生する。
【００３３】
（１）このページを閲覧しにきたユーザがこのページ上に掲載されている旅程構成要素情報の公式ホームページＵＲＬをクリックして詳細確認をするたびに、そのクリック数に応じた手数料収入が、旅程構成要素情報の主体から旅程企画者へ支払われる様な広告仲介契約を結べば、旅程企画者はこのページのアップロード中は継続的に収入を得ることができる。
（２）ユーザがこのページ上に掲載されている予約ページのＵＲＬをクリックして宿泊予約や乗車券予約をするたびに、その予約料金に応じた手数料収入が、予約ＵＲＬの主体から旅程企画者へ支払われる様な、予約仲介契約を結べば、旅程企画者はこのページのアップロード中は継続的に収入を得ることができる。
【００３４】
（３）ユーザは、このページ上での１クリックで予約ページにアクセスできるため、当該ページ内での予約成約率が高くなり、また、他の予約サイトへ客が流れるのを防ぐことができる。
（４）旅行会社が、自身の持っている旅行プランをこのページの形式でアップロードし、上述した一連のシステムに則り手数料収入を得る運営形態を採れば、もはや店舗の窓口で旅行ツアーを販売及び受付する必要が減るため、それにより、従来かかっていた店舗の維持経費や人員コストを削減することができる。
また、旅程内容をウェブページ上の１の地図内に集約したかたちで掲載しつつ、詳細については、ページ内に貼りつけてある写真や各種ＵＲＬをクリックすればそのページが開けて閲覧・利用できるので、ツアー全体の内容を１画面で紹介できると同時に、詳しい情報索引についても紐付き形式（リンク用のＵＲＬ）で提供できるため、顧客への訴求力・説明力が格段に上がる。
【００３５】
［５］上記の旅程マップページ上において、その旅程の構成要素の１つとして表示されるかたちで自分のホームページへリンクが貼られているので、個々の宿泊施設や飲食店や観光施設は、従来の単独のホテル名等によるアクセス以外に、当該旅程マップページ経由からのアクセスも獲得できるようになるため、客数の増加を見込むことができる。
【００３６】
［６］その旅程を構成している自分以外の分野、例えば、観光スポット、飲食店、宿泊施設、交通情報、と一緒に１の地図内に掲載されるので、観光情報サイトや飲食店紹介サイトや宿泊施設紹介サイトや交通情報サイトは、従来の自身の分野、例えば、宿泊紹介サイト、の閲覧客以外に、他の分野のサイトの閲覧客にも、こちらのサイトを見てもらえるようになり、予約仲介数の増加を見込むことができる。
【産業上の利用可能性】
【００３７】
本発明の旅程表示システムは、インターネットを介して繋がっている複数のユーザ端末に旅行に必要な情報の入手が容易な旅程を提供するシステムとして利用できる。
【符号の説明】
【００３８】
１  旅程表示装置
２  ユーザ端末
１２  データ処理部
１４  データベース
１６  Ｗｅｂサーバ
１８  アプリケーションサーバ（ＡＰサーバ）
２３  旅行計画情報受取部
２５  第１の情報処理部
２７  第２の情報処理部
２９  第３の情報処理部
【図１】
2014006819.tif 000003
【図２】
2014006819.tif 000004
【図３】
2014006819.tif 000005
【図４】
2014006819.tif 000006
【図５】
2014006819.tif 000007
【図６】
2014006819.tif 000008
【図７】
2014006819.tif 000009
【図８】
2014006819.tif 000010
【図９】
2014006819.tif 000011
【図１０】
2014006819.tif 000012